(57)【要約】      （修正有）【課題】簡易な構造で、確実に支柱を固定できる農園芸用支柱用継手を提供する。【解決手段】筒状の継手本体の両端部に形成された第１の筒状部１１と第２の筒状部１２とに支柱がそれぞれ挿入連結されると共に、第１の筒状部１１の周壁に縦方向の切込み溝１４が複数形成されて、分割片１５に分割されており、また外周面１６には円周方向に螺旋状に締付溝１７が設けられる一方、前記締付具の内周面には三角状の突起が設けられ、締付具を回動させて、締付溝１７に嵌め込まれた前記突起に沿って移動させると、第１の筒状部１１の周壁が内方に押し込まれ、支柱外面を押圧するようになされ、また前記締付具の内周面は、前記環状突部２０の傾斜に対応する傾斜面が形成されて、締付具の傾斜面が継手本体の環状突部２０の傾斜面１９を内方に押えるようになされているため、締付具２を円周方向に回動させるだけで、固定できる継手を構成することができる。【選択図】図４
2010276039.tif 000002
【特許請求の範囲】
【請求項１】
継手本体と締付具とからなる農園芸用支柱の継手であって、筒状体となされた継手本体の両端部に形成された第１の筒状部と第２の筒状部とに支柱がそれぞれ挿入されて連結されると共に、第１の筒状部の周壁に縦方向の切込み溝が複数形成されて、前記周壁が分割片に分割されており、またこの第１の筒状部の外周面には円周方向に螺旋状に締付溝が設けられる一方、前記締付具の内周面には三角状の突起が設けられ、第１の筒状部の周壁に形成された先端から少なくとも締付溝に至る切込み溝を経由して前記突起が締付溝に嵌め込まれるようになされていると共に、締付具を回動させて、締付溝に嵌め込まれた前記突起を締付溝に沿って移動させると、第１の筒状部の周壁が内方に押し込まれ、支柱外面を押圧するようになされ、さらに、前記第１の筒状部の外周先端部は、基端に向って高くなる傾斜面を備えた環状突部が設けられ、また前記締付具の内周面は、前記環状突部の傾斜に対応する傾斜面が形成されて、前記突起を締付溝に沿って移動させた際に、締付具の傾斜面が継手本体の環状突部の傾斜面を内方に押えるようになされていることを特徴とする農園芸用支柱用継手。
【請求項２】
アーチ状に折曲された農園芸用支柱の両端部と、垂直状の農園芸用支柱の上端部とが、継手本体と締付具とからなる請求項１に記載の農園芸用支柱用継手を用いて連結されてなることを特徴とする農園芸用アーチ支柱。
【発明の詳細な説明】
【技術分野】
【０００１】
本発明は、農園芸用支柱用継手及びそれを用いた農園芸用アーチ支柱に関するものである。
【背景技術】
【０００２】
農園芸用支柱用継手については、以前から多くの発明が提案されており、例えば、下位のパイプの上端部に、上位のパイプと嵌合する内径を有し、中間部の円周方向に凹溝を、又その上縁から軸方向に上記凹溝を通過する複数本のスリットを切設してなる硬質プラスチックの締付環を嵌着、固定する一方、上記凹溝には開離端部に介在される拡開具を介して開離端が拡開可能なバネ環を嵌設したことを特徴とする伸縮パイプのジョイント緊締具である農園芸用支柱用継手が提案されている（例えば、特許文献１参照）。
【先行技術文献】
【特許文献】
【０００３】
【特許文献１】実開平４−１０９２１２号公報
【発明の概要】
【発明が解決しようとする課題】
【０００４】
しかしながら、従来のようなジョイント緊締具である農園芸用支柱用継手は、上記バネ環は原則としてパイプの摺動時以外は常に絞縮状態に保たれるので弾性の低下が生じにくく、パイプの緊締力が長期間安定的に維持できるという格別の効果の他、そのカム軸との間の摩耗なども少ないため、繰り返しの使用によっても、その性能を維持できるという効果も頗る大きいと言う効果を有しているものの、拡開具やバネ環を備えているため、構造が複雑なものとなり、またその表面に複数条の突起が設けられた支柱（パイプ）に適用する際には、前記突起が邪魔になり、上位の支柱（パイプ）と下位の支柱（パイプ）とが確実に固定できないと言う問題があった。
【０００５】
本発明は、前記の如き課題を解消し、簡易な構造であり、かつその表面に複数条の突起が設けられた支柱に適用する際においても、確実に支柱を固定できる農園芸用支柱用継手を提供せんとするものである。
【課題を解決するための手段】
【０００６】
上記目的を達成するために、本発明は次のような構成としている。
すなわち、本発明に係る農園芸用支柱用継手は、継手本体と締付具とからなる農園芸用支柱の継手であって、筒状体となされた継手本体の両端部に形成された第１の筒状部と第２の筒状部とに支柱がそれぞれ挿入されて連結されると共に、第１の筒状部の周壁に縦方向の切込み溝が複数形成されて、前記周壁が分割片に分割されており、またこの第１の筒状部の外周面には円周方向に螺旋状に締付溝が設けられる一方、前記締付具の内周面には三角状の突起が設けられ、第１の筒状部の周壁に形成された先端から少なくとも締付溝に至る切込み溝を経由して前記突起が締付溝に嵌め込まれるようになされていると共に、締付具を回動させて、締付溝に嵌め込まれた前記突起を締付溝に沿って移動させると、第１の筒状部の周壁が内方に押し込まれ、支柱外面を押圧するようになされ、さらに、前記第１の筒状部の外周先端部は、基端に向って高くなる傾斜面を備えた環状突部が設けられ、また前記締付具の内周面は、前記環状突部の傾斜に対応する傾斜面が形成されて、前記突起を締付溝に沿って移動させた際に、締付具の傾斜面が継手本体の環状突部の傾斜面を内方に押えるようになされていることを特徴とするものである。
【０００７】
また、本発明に係る農園芸用アーチ支柱は、アーチ状に折曲された農園芸用支柱の両端部と、垂直状の農園芸用支柱の上端部とが、継手本体と締付具とからなる請求項１に記載の農園芸用支柱用継手を用いて連結されてなることを特徴とするものである。
【発明の効果】
【０００８】
本発明によれば、筒状体となされた継手本体の両端部に形成された第１の筒状部と第２の筒状部とに支柱がそれぞれ挿入されて連結されると共に、第１の筒状部の周壁に縦方向の切込み溝が複数形成されて、前記周壁が分割片に分割されており、またこの第１の筒状部の外周面には円周方向に螺旋状に締付溝が設けられる一方、前記締付具の内周面には三角状の突起が設けられ、第１の筒状部の周壁に形成された先端から少なくとも締付溝に至る切込み溝を経由して前記突起が締付溝に嵌め込まれるようになされていると共に、締付具を回動させて、締付溝に嵌め込まれた前記突起に沿って移動させると、第１の筒状部の周壁が内方に押し込まれ、支柱外面を押圧するようになされ、さらに、前記第１の筒状部の外周先端部は、基端に向って高くなる傾斜面を備えた環状突部が設けられ、また前記締付具の内周面は、前記環状突部の傾斜に対応する傾斜面が形成されて、前記突起を締付溝に沿って移動させた際に、締付具の傾斜面が継手本体の環状突部の傾斜面を内方に押えるようになされているため、継手本体の第１の筒状部に支柱を挿入して、締付溝に至る切込み溝を経由して前記突起を締付溝に嵌め込み、締付具を円周方向に回動させるだけで、確実に支柱を固定できると共に、簡易な構造で継手を構成することができる。
【０００９】
また、本発明の農園芸用支柱用継手を用いた農園芸用アーチ支柱によれば、アーチ状に折曲された農園芸用支柱の両端部と、垂直状の農園芸用支柱の上端部とが、継手本体と締付具とからなる請求項１に記載の農園芸用支柱用継手を用いて連結されてなるようにしているので、締付具を回動させると、その内周面に形成した三角状の突起が締付溝に沿って移動していく際に、第１の筒状部の周壁が内方に押し込まれ、支柱外面を押圧し、さらに、締付具の傾斜面が継手本体の環状突部の傾斜面を内方に押えるため、支柱外面をより強く押圧して、より強固に支柱が連結された農園芸用アーチ支柱を形成することができる。
【図面の簡単な説明】
【００１０】
【図１】本発明に係る農園芸用アーチ支柱の実施の一形態を示す正面図である。
【図２】図１における農園芸用支柱用継手の部分拡大の斜視図である。
【図３】図２の断面図である。
【図４】本発明に係る農園芸用支柱用継手の継手本体の実施の一形態であって、（ａ）は正面図、（ｂ）は左側面図、（ｃ）は右側面図、（ｄ）は平面図、（ｅ）は底面図である。
【図５】図４の要部の断面図である。
【図６】本発明に係る農園芸用支柱用継手の締付具の実施の一形態であって、（ａ）は正面図、（ｂ）は左側面図、（ｃ）は右側面図、（ｄ）は平面図、（ｅ）は底面図である。
【図７】図６の要部の断面図である。
【発明を実施するための形態】
【００１１】
次に、本発明を実施するための最良の形態について図面を参照し、具体的に説明する。
【００１２】
本発明に係る農園芸用支柱用継手Ｐは、継手本体１と締付具２とからなり、筒状体となされた継手本体１の両端部に形成された第１の筒状部１１と第２の筒状部１２とに後述する支柱３１、３２がそれぞれ挿入されて連結されると共に、第１の筒状部１１の周壁１３に縦方向の切込み溝１４が複数形成されて、前記周壁１３が分割片１５に分割されており、またこの第１の筒状部１１の下部外周面１６には円周方向に螺旋状に締付溝１７が設けられる一方、前記締付具２の内周面２１には三角状の突起２２が設けられ、第１の筒状部１１の周壁１３に形成された先端から少なくとも締付溝１７に至る切込み溝１４を経由して前記突起２２が締付溝１７に嵌め込まれるようになされていると共に、締付具２を半回転（１８０°）程度回動させて、締付溝１７に嵌め込まれた前記突起２２を締付溝１７に沿って移動させると、第１の筒状部１１の周壁１３が内方に押し込まれ、支柱３２外面を押圧するようになされ、さらに、前記第１の筒状部１１の外周先端部１８は、基端に向って高くなる傾斜面１９を備えた環状突部２０が設けられ、また前記締付具２の内周面２１は、前記環状突部２０の傾斜に対応する傾斜面２３が形成されて、前記突起２２を締付溝１７に沿って移動させた際に、締付具２の傾斜面２３が継手本体１の環状突部２０の傾斜面１９を内方に押えるようになされている。
【００１３】
また、農園芸用アーチ支柱Ｓは、継手本体１と締付具２とからなる前記農園芸用支柱用継手Ｐを２個用いて、１本のアーチ状に折曲された農園芸用支柱３１の両端部と、２本の垂直状の農園芸用支柱３２の上端部とが、連結されて形成されている。
【００１４】
本実施例においては、農園芸用支柱用継手Ｐは上下方向に用いられており、継手本体１は、その下部に位置する第１の筒状部１１と上部に位置する第２の筒状部１２からなり、第２の筒状部１２の内側に垂直状の農園芸用支柱３２が挿入され、第１の筒状部１１の内側にアーチ状に折曲された農園芸用支柱３１が挿入されるようになされて、締付具２が締付けられて、農園芸用アーチ支柱Ｓが形成されている。
【００１５】
また、本発明に係る農園芸用支柱用継手Ｐを用いて、直線状の農園芸用支柱を複数本横方向に連結して使用してもよい。
【００１６】
第１の筒状部１１は、その周壁１３に縦方向の切込み溝１４が９０°間隔で４個形成されて、前記周壁１３が４個の分割片１５に分割されている。そして、この第１の筒状部１１の下部外周面１６には円周方向に螺旋状に締付溝１７が設けられる一方、前記締付具２の内周面２１には三角状の突起２２が相対向して２個設けられ、第１の筒状部１１の周壁１３に形成された先端から締付溝１７を超えて形成された２個の切込み溝１４を経由して前記２個の突起２２が締付溝１７に嵌め込まれるようになされていると共に、締付具２を半回転（１８０°）程度回動させて、締付溝１７に嵌め込まれた前記２個の突起２２を締付溝１７に沿って移動させると、第１の筒状部１１の周壁１３（４個の分割片１５）が内方に押し込まれ、支柱３２外面を押圧するようになされ、さらに、前記第１の筒状部１１の外周先端部１８は、基端に向って高くなる傾斜面１９を備えた環状突部２０が設けられ、また前記締付具２の内周面２１は、前記環状突部２０の傾斜に対応する傾斜面２３が形成されて、前記２個の突起２２を締付溝１７に沿って移動させた際に、締付具２の傾斜面２３が継手本体１の環状突部２０の傾斜面１９を内方に押えるようになされているので、第１の筒状部１１の周壁１３（４個の分割片１５）の押圧に加えて、締付具２の傾斜面２３が継手本体１の環状突部２０の傾斜面１９を内方に押えて、農園芸用支柱３２をより強固に締付けして、連結することができる。
【００１７】
前記第１の筒状部１１の下部外周面１６に円周方向に螺旋状に設けられた締付溝１７の終端には横断面が鋸状になされた係止部１７１が形成され、前記締付具２の内周面２１に設けられた三角状の突起２２を前記締付溝１７に沿ってその終端まで移動させると、前記係止部１７１と係合して、締付具２が緩まないようになされている。
【００１８】
前記締付具２の傾斜面２３が継手本体１の環状突部２０の傾斜面１９を内方に押えて、農園芸用支柱３２を締付けた際に、さらに強固に農園芸支柱３２を押圧できるように、前記第１の筒状部１１の外周先端部１８内周面には、複数のストッパー１８１が内方に突設されている。
【００１９】
第２の筒状部１２は、強度を上げるためにその外周面に同心円状に縦リブ１２１が等間隔に複数形成されており、また第１の筒状部１１は有底であって、第２の筒状部１２の内側部と隔離されている。
【００２０】
締付具２を回動させる際に確実に回動できる様、締付具２の外周面２４には同心円状に等間隔に複数の縦リブ２５が形成されている。
【００２１】
締付具２の第１の筒状部１１とアーチ状に折曲された農園芸用支柱３１との固定については、母材どおしを溶着したり、接着剤を塗布して接着したりする等して、固定すればよい。
【産業上の利用可能性】
【００２２】
本発明によれば、筒状体となされた継手本体の両端部に形成された第１の筒状部と第２の筒状部とに支柱がそれぞれ挿入されて連結されると共に、第１の筒状部の周壁に縦方向の切込み溝が複数形成されて、前記周壁が分割片に分割されており、またこの第１の筒状部の外周面には円周方向に螺旋状に締付溝が設けられる一方、前記締付具の内周面には三角状の突起が設けられ、第１の筒状部の周壁に形成された先端から少なくとも締付溝に至る切込み溝を経由して前記突起が締付溝に嵌め込まれるようになされていると共に、締付具を回動させて、締付溝に嵌め込まれた前記突起に沿って移動させると、第１の筒状部の周壁が内方に押し込まれ、支柱外面を押圧するようになされ、さらに、前記第１の筒状部の外周先端部は、基端に向って高くなる傾斜面を備えた環状突部が設けられ、また前記締付具の内周面は、前記環状突部の傾斜に対応する傾斜面が形成されて、前記突起を締付溝に沿って移動させた際に、締付具の傾斜面が継手本体の環状突部の傾斜面を内方に押えるようになされているため、継手本体の第１の筒状部に支柱を挿入して、締付溝に至る切込み溝を経由して前記突起を締付溝に嵌め込み、締付具を円周方向に回動させるだけで、確実に支柱を固定できると共に、簡易な構造で継手として好適に利用できる。
【符号の説明】
【００２３】
１    継手本体
１１  第１の筒状部
１２  第２の筒状部
１３  周壁
１４  切込み溝
１５  分割片
１６  外周面
１７  締付溝
１８  外周先端部
１９  傾斜面
２０  環状突部
２    締付具
２１  内周面
２２  突起
２３  傾斜面
２４  外周面
２５  縦リブ
３１  農園芸用支柱
３２  農園芸用支柱
Ｐ    農園芸用支柱用継手
Ｓ    農園芸用アーチ支柱
【図１】
2010276039.tif 000003
【図２】
2010276039.tif 000004
【図３】
2010276039.tif 000005
【図４】
2010276039.tif 000006
【図５】
2010276039.tif 000007
【図６】
2010276039.tif 000008
【図７】
2010276039.tif 000009